(57)【要約】  コネクタ固定具は、取り付け部と、抜け止め部とを有する。抜け止め部は、弾性変形させることによって機器の一部に引っ掛かる第一位置から機器の一部に引っ掛からない第二位置へ変位可能、かつ、弾性変形に伴って生じていた弾性力によって第二位置から第一位置へ復帰可能に構成される。プラグコネクタをレセプタクルコネクタから引き抜く方向へ外力が作用した際には、機器の一部から抜け止め部に対し、抜け止め部を第一位置側へ変位させる向きに力が作用するように構成されている。
2017086259.tif 000002
【特許請求の範囲】
【請求項１】
取り付け部と、抜け止め部とを有し、
前記取り付け部は、プラグコネクタに対して取り付け可能に構成され、
前記抜け止め部は、前記取り付け部が前記プラグコネクタに対して取り付けられた状態で前記プラグコネクタがレセプタクルコネクタに対して挿し込まれた際に、前記レセプタクルコネクタを有する機器の一部に引っ掛かることにより、前記プラグコネクタが少なくとも前記レセプタクルコネクタから引き抜かれる方向へ変位するのを抑制可能に構成され、
前記抜け止め部は、一端が前記取り付け部に対して固定された固定端、他端が前記抜け止め部の弾性変形に伴って変位可能な可動端とされ、弾性変形させることによって前記機器の一部に引っ掛かる第一位置から前記機器の一部に引っ掛からない第二位置へ変位可能、かつ、弾性変形に伴って生じていた弾性力によって前記第二位置から前記第一位置へ復帰可能に構成され、
しかも、前記プラグコネクタを前記レセプタクルコネクタから引き抜く方向へ外力が作用した際には、前記機器の一部から前記抜け止め部に対し、前記抜け止め部を前記第一位置側へ変位させる向きに力が作用するように構成されている
コネクタ固定具。
【請求項２】
請求項１に記載のコネクタ固定具であって、
前記取り付け部は、ケース部と、突出部とを有し、
前記ケース部は、前記プラグコネクタの外面の少なくとも一部を覆う位置に装着可能に構成され、前記取り付け部が前記プラグコネクタに対して取り付けられた状態で前記プラグコネクタがレセプタクルコネクタに対して挿し込まれた際には、前記機器の内外を区画するパネルの外側に配置される部分であり、
前記突出部は、前記ケース部から突出しており、前記取り付け部が前記プラグコネクタに対して取り付けられた状態で前記プラグコネクタがレセプタクルコネクタに対して挿し込まれた際には、突出方向先端部が前記パネルに設けられた開口部を通って前記パネルの内側へと入り込む部分であり、
前記抜け止め部は、前記突出部における前記パネルの内側へと入り込む部分に前記固定端があり、当該固定端から前記突出部に対して折り返す方向へと延び、その折り返し方向へ延びる部分が前記開口部を通って前記パネルの外側に達し、当該パネルの外側に達した先端が前記可動端となっており、
前記抜け止め部において前記プラグコネクタ側とは反対側に向けられた箇所には、前記パネルの内側に引っ掛かる爪が設けられ、当該爪が前記パネルの内側に引っ掛かることにより、前記プラグコネクタが前記レセプタクルコネクタから引き抜かれる方向へ変位するのを抑制可能に構成され、
前記可動端が前記プラグコネクタに接近する方向へ前記抜け止め部を弾性変形させることにより、前記爪が前記パネルに引っ掛かる前記第一位置から前記爪が前記パネルに引っ掛からない前記第二位置へ変位可能に構成されている
コネクタ固定具。
【請求項３】
請求項２に記載のコネクタ固定具であって、
前記ケース部は、第一部分、第二部分、第三部分、及び第四部分を有し、
前記第一部分及び前記第二部分は、前記プラグコネクタの前記レセプタクルコネクタに対する挿し込み方向に直交する第一方向に第一の間隔を空けて配置され、
前記第三部分及び前記第四部分は、前記挿し込み方向及び前記第一方向の双方に直交する第二方向に前記第一の間隔よりも大となる第二の間隔を空けて配置され、
前記第一部分、前記第二部分、前記第三部分、及び前記第四部分によって囲まれる空間内に、前記プラグコネクタを収容可能に構成され、
前記突出部は、前記第一部分及び前記第二部分のうち、少なくとも一方から突出している
コネクタ固定具。
【請求項４】
請求項２又は請求項３に記載のコネクタ固定具であって、
前記ケース部は、一対の外殻部と、ヒンジ部と、ロック部とを有し、
前記一対の外殻部は、それぞれが凹部を有し、
前記ヒンジ部は、前記一対の外殻部を開閉可能に連結し、
前記ロック部は、前記一対の外殻部が閉じられた際に互いに引っ掛かることによって前記一対の外殻部が開かれるのを抑制可能、かつ、前記互いに引っ掛かる状態が解除された際には前記一対の外殻部が開かれるのを許容するように構成され、
前記一対の外殻部が閉じられた際に前記一対の外殻部それぞれが有する前記凹部が対向することによって前記ケース部の内部に構成される空間内に、前記プラグコネクタの少なくとも一部を収容可能に構成されている
コネクタ固定具。
【請求項５】
請求項２に記載のコネクタ固定具であって、
前記ケース部は、平板部、第一延出部、及び第二延出部を有し、
前記平板部は、平板状に構成されて、その板厚方向が前記プラグコネクタの前記レセプタクルコネクタに対する挿し込み方向に直交する第一方向に向けられ、
前記第一延出部及び前記第二延出部は、前記挿し込み方向及び前記第一方向の双方に直交する第二方向に間隔を空けた位置において、それぞれが前記平板部から前記第一方向へと延び出ており
前記平板部、前記第一延出部、及び前記第二延出部によって、前記プラグコネクタの周囲を三方から取り囲む状態で、前記プラグコネクタに対して装着可能に構成され、
前記第一延出部及び第二延出部は、前記第一方向の寸法が、前記第一延出部と前記第二延出部との間隔の寸法よりも小となる形状とされ、
前記突出部は、前記第一延出部及び第二延出部のうち、少なくとも一方から突出している
コネクタ固定具。
【請求項６】
請求項５に記載のコネクタ固定具であって、
前記平板部は、前記板厚方向の寸法が０．１ｍｍ〜１ｍｍとされている
コネクタ固定具。
【請求項７】
請求項１から請求項６までのいずれか一項に記載のコネクタ固定具であって、
前記取り付け部には、ずれ抑制部が設けられ、
前記ずれ抑制部は、前記プラグコネクタとの間で互いの凹凸が嵌まり合うか、前記プラグコネクタに対して粘着するか、前記プラグコネクタに対して加圧する状態で接触することにより、前記取り付け部と前記プラグコネクタとの相対位置が、前記プラグコネクタの前記レセプタクルコネクタに対する挿し込み方向へずれるのを抑制するように構成されている
コネクタ固定具。
【発明の詳細な説明】
【関連出願の相互参照】
【０００１】
本国際出願は、２０１５年１１月２０日に日本国特許庁に出願された日本国特許出願第２０１５−２２７６３４号に基づく優先権を主張するものであり、日本国特許出願第２０１５−２２７６３４号の全内容を参照により本国際出願に援用する。
【技術分野】
【０００２】
本開示は、コネクタ固定具に関する。
【背景技術】
【０００３】
ケーブルの一端に設けられたプラグコネクタが、機器側に設けられたレセプタクルコネクタから引き抜かれるのを抑制可能なコネクタの抜け防止機構が提案されている（例えば、特許文献１参照。）。
【先行技術文献】
【特許文献】
【０００４】
【特許文献１】特開２００１−１３５４１３号公報
【発明の概要】
【発明が解決しようとする課題】
【０００５】
しかし、上記特許文献１に記載の技術の場合、爪部は、開口部の開口幅（水平方向寸法）よりも外側となる位置においてシャーシに引っ掛かっている。そのため、爪部を開口部から引き抜こうとする力が爪部に作用した場合、爪部は、上述の開口幅の内側となる位置において引き抜き方向に引っ張られ、かつ、同開口幅よりも外側となる位置において引き抜きが阻止される。【０００６】
したがって、爪部にはせん断力が作用し、そのせん断力を受けた一対の爪部は、双方の可動端が互いに近づく方向へと弾性変形する。よって、このような方向へ一対の爪部が弾性変形すると、その変形量が増大した場合に、爪部がシャーシから外れてしまうおそれがあった。【０００７】
本開示の一局面においては、プラグコネクタを引き抜く方向へ力が作用した場合でも、プラグコネクタが引き抜かれにくいコネクタ固定具を提供することが望ましい。
【課題を解決するための手段】
【０００８】
本開示の一態様は、コネクタ固定具であって、取り付け部と、抜け止め部とを有し、取り付け部は、プラグコネクタに対して取り付け可能に構成され抜け止め部は、取り付け部がプラグコネクタに対して取り付けられた状態でプラグコネクタがレセプタクルコネクタに対して挿し込まれた際に、レセプタクルコネクタを有する機器の一部に引っ掛かることにより、プラグコネクタが少なくともレセプタクルコネクタから引き抜かれる方向へ変位するのを抑制可能に構成され、抜け止め部は、一端が取り付け部に対して固定された固定端、他端が抜け止め部の弾性変形に伴って変位可能な可動端とされ、弾性変形させることによって機器の一部に引っ掛かる第一位置から機器の一部に引っ掛からない第二位置へ変位可能、かつ、弾性変形に伴って生じていた弾性力によって第二位置から第一位置へ復帰可能に構成され、しかも、プラグコネクタをレセプタクルコネクタから引き抜く方向へ外力が作用した際には、機器の一部から抜け止め部に対し、抜け止め部を第一位置側へ変位させる向きに力が作用するように構成されている。【０００９】
本開示において、プラグコネクタとは、ケーブルの一端に設けられたコネクタを意味する。また、レセプタクルコネクタとは、機器側に設けられてプラグコネクタと接続可能に構成された受け側のコネクタを意味する。【００１０】
このように構成されたコネクタ固定具によれば、取り付け部がプラグコネクタに対して取り付けられる。その状態でプラグコネクタがレセプタクルコネクタに対して挿し込まれると、抜け止め部がレセプタクルコネクタを有する機器の一部に引っ掛かる。これにより、抜け止め部は、プラグコネクタが少なくともレセプタクルコネクタから引き抜かれる方向へ変位するのを抑制することができる。しかも、抜け止め部が機器の一部に引っ掛かっている状態において、プラグコネクタをレセプタクルコネクタから引き抜く方向へ外力が作用した際には、機器の一部から抜け止め部に対し、抜け止め部を第一位置側へ変位させる向きに力が作用する。そのため、プラグコネクタをレセプタクルコネクタから引き抜く方向へ外力が作用した際、抜け止め部を第二位置側へ変位させる向きに力が作用するコネクタ固定具とは異なり、抜け止め部が第二位置側へ変位してしまうのを抑制できる。したがって、プラグコネクタがレセプタクルコネクタから引き抜かれてしまうのを抑制することができる。
【図面の簡単な説明】
【００１１】
【図１】図１Ａはプラグコネクタに取り付けられた状態にある第一実施形態のコネクタ固定具を左上前方から見た状態を示す斜視図である。図１Ｂはケース部が開かれた状態にある第一実施形態のコネクタ固定具を左上前方から見た状態を示す斜視図である。図１Ｃはケース部が開かれた状態にある第一実施形態のコネクタ固定具を左下前方から見た状態を示す斜視図である。
【図２】図２Ａは第一実施形態のコネクタ固定具の平面図である。図２Ｂは第一実施形態のコネクタ固定具の左側面図である。図２Ｃは第一実施形態のコネクタ固定具の正面図である。図２Ｄは第一実施形態のコネクタ固定具の右側面図である。図２Ｅは第一実施形態のコネクタ固定具の背面図である。図２Ｆは第一実施形態のコネクタ固定具の底面図である。
【図３】図３Ａは図２Ｄ中にＩＩＩＡ−ＩＩＩＡ線で示した切断箇所を拡大して示す断面図である。図３Ｂはプラグコネクタに取り付けられたコネクタ固定具を示す断面図である。
【図４】図４Ａは第一実施形態のコネクタ固定具がプラグコネクタに取り付けられ、そのプラグコネクタがパネルの内側にあるレセプタクルコネクタに挿し込まれた状態を示す平面図である。図４Ｂは第一実施形態のコネクタ固定具がプラグコネクタに取り付けられ、そのプラグコネクタがパネルの内側にあるレセプタクルコネクタに挿し込まれた状態を示す左側面図である。図４Ｃはパネルから爪に作用する力を示す説明図である。
【図５】図５Ａは第一実施形態のコネクタ固定具がプラグコネクタに取り付けられ、そのプラグコネクタがパネルの開口部に挿し込まれていない状態を示す斜視図である。図５Ｂは第一実施形態のコネクタ固定具がプラグコネクタに取り付けられ、そのプラグコネクタがパネルの開口部に挿し込まれた状態を示す斜視図である。
【図６】図６Ａは第二実施形態のコネクタ固定具を左上前方から見た状態を示す斜視図である。図６Ｂは第二実施形態のコネクタ固定具を左下前方から見た状態を示す斜視図である。
【図７】図７Ａは第二実施形態のコネクタ固定具がプラグコネクタに取り付けられ、そのプラグコネクタがパネルの内側にあるレセプタクルコネクタに挿し込まれた状態を示す平面図である。図７Ｂは第二実施形態のコネクタ固定具がプラグコネクタに取り付けられ、そのプラグコネクタがパネルの内側にあるレセプタクルコネクタに挿し込まれた状態を示す左側面図である。
【図８】図８Ａは第三実施形態のコネクタ固定具を左上前方から見た状態を示す斜視図である。図８Ｂは第三実施形態のコネクタ固定具を左下前方から見た状態を示す斜視図である。
【図９】図９Ａは第三実施形態のコネクタ固定具がプラグコネクタに取り付けられ、そのプラグコネクタがパネルの内側にあるレセプタクルコネクタに挿し込まれた状態を示す平面図である。図９Ｂは第三実施形態のコネクタ固定具がプラグコネクタに取り付けられ、そのプラグコネクタがパネルの内側にあるレセプタクルコネクタに挿し込まれた状態を示す左側面図である。
【図１０】図１０Ａは第四実施形態のコネクタ固定具及びプラグコネクタを左上前方から見た状態を示す斜視図である。図１０Ｂは第四実施形態のコネクタ固定具及びプラグコネクタを左下前方から見た状態を示す斜視図である。
【図１１】図１１Ａは第五実施形態のコネクタ固定具を左上前方から見た状態を示す斜視図である。図１１Ｂは第五実施形態のコネクタ固定具を右上前方から見た状態を示す斜視図である。図１１Ｃは第五実施形態のコネクタ固定具を左下前方から見た状態を示す斜視図である。図１１Ｄは第五実施形態のコネクタ固定具を右下前方から見た状態を示す斜視図である。
【図１２】図１２Ａは第一実施形態のコネクタ固定具の平面図である。図１２Ｂは第一実施形態のコネクタ固定具の左側面図である。図１２Ｃは第一実施形態のコネクタ固定具の正面図である。図１２Ｄは第一実施形態のコネクタ固定具の右側面図である。図１２Ｅは第一実施形態のコネクタ固定具の背面図である。図１２Ｆは第一実施形態のコネクタ固定具の底面図である。
【図１３】図１３Ａは図１２Ｃ中にＸＩＩＩＡ−ＸＩＩＩＡ線で示した切断箇所を拡大して示す断面図である。図１３Ｂはコネクタ固定具をプラグコネクタに取り付ける前の状態を示す斜視図である。図１３Ｃはコネクタ固定具をプラグコネクタに取り付けた後の状態を示す斜視図である。
【図１４】図１４Ａはコネクタ固定具及びプラグコネクタの使用状態を示す斜視図である。図１４Ｂはコネクタ固定具及びプラグコネクタの使用状態を示す説明図である。
【図１５】図１５Ａはコネクタ固定具及びプラグコネクタの別の使用状態を示す斜視図である。図１５Ｂはコネクタ固定具及びプラグコネクタの別の使用状態を示す説明図である。
【符号の説明】
【００１２】
１，３１，４１，５１，６１…コネクタ固定具、３，６３…取り付け部、５，６５…抜け止め部、５Ａ…固定端、５Ｂ…可動端、７，６７…ケース部、７Ａ…第一部分、７Ｂ…第二部分、７Ｃ…第三部分、７Ｄ…第四部分、９，６９…突出部、１１…外殻部、１３…ヒンジ部、１５…凹部、１７，７５…両面粘着シート、１９…有底穴、２１…ロック部、２１Ａ…雄側ロック片、２１Ｂ…雌側ロック片、２３…爪、３３…突起、４３…ばね片、７０…平板部、７１…第一延出部、７２…第二延出部、７３…位置決め壁、７７…突条、８１…基部、８３…リブ、８５…立設壁、９１，９９，１０１…プラグコネクタ、９３，１０３…レセプタクルコネクタ、９５，１０５…パネル、９７，１０７…開口部、９９Ａ…嵌め込み部。
【発明を実施するための形態】
【００１３】
次に、上述のコネクタ固定具について、例示的な実施形態を挙げて説明する。
（１）第一実施形態
まず第一実施形態について説明する。なお、以下の説明においては、図中に併記した前後左右上下の各方向を利用して説明を行う。これらの各方向は、コネクタ固定具の六面図（図２Ａ〜図２Ｆ参照。）において、正面図に表れる箇所が向けられる方向を前、背面図に表れる箇所が向けられる方向を後、左側面図に表れる箇所が向けられる方向を左、右側面図に表れる箇所が向けられる方向を右、平面図に表れる箇所が向けられる方向を上、底面図に表れる箇所が向けられる方向を下、と規定した相対的な方向である。ただし、これらの各方向は、コネクタ固定具を構成する各部の相対的な位置関係を簡潔に説明するために規定した方向に過ぎない。したがって、例えばコネクタ固定具の使用時等に、コネクタ固定具がどのような方向に向けられるかは不定である。
【００１４】
図１Ａ，図１Ｂ，及び図１Ｃに示すように、コネクタ固定具１は、取り付け部３と、抜け止め部５とを有する。取り付け部３は、プラグコネクタ９１に対して取り付け可能に構成されている。本実施形態の場合、プラグコネクタ９１は、ＵＳＢ（Universal Serial Bus）コネクタである。取り付け部３は、ケース部７と、突出部９とを有する。
【００１５】
ケース部７は、図２Ａから図２Ｆまでの各図に示すように、一対の外殻部１１，１１と、ヒンジ部１３とを有する。ヒンジ部１３は、一対の外殻部１１，１１を開閉可能に連結している。一対の外殻部１１，１１は、それぞれが凹部１５を有し、これらの凹部１５が対向することによってケース部７の内部に構成される空間内に、プラグコネクタ９１の少なくとも一部を収容可能に構成されている。凹部１５内には、両面粘着シート１７（本開示でいうずれ抑制部の一例に相当。）が貼り付けられている。
【００１６】
両面粘着シート１７は、クッション性のある発泡樹脂製基材の両面に粘着層が設けられた構造になっている。外殻部１１の凹部１５内には、図３Ａに示すように、両面粘着シート１７の厚さよりも浅い有底穴１９が設けられている。その有底穴１９内に両面粘着シート１７が嵌め込まれて、有底穴１９の底面に両面粘着シート１７の一方の面が貼り付けられている。両面粘着シート１７の他方の面は、図３Ｂに示すように、プラグコネクタ９１がケース部７の内部に収容された際に、プラグコネクタ９１に貼り付けられる。プラグコネクタ９１がケース部７の内部に収容された際、両面粘着シート１７は、プラグコネクタ９１とケース部７との間で圧縮されて、プラグコネクタ９１及びケース部７の双方に密着する。
【００１７】
また、ケース部７は、図１Ａ及び図３Ｂに示すように、ロック部２１を有する。ロック部２１は、一方の外殻部１１に設けられた雄側ロック片２１Ａと、他方の外殻部１１に設けられた雌側ロック片２１Ｂを有する。一対の外殻部１１，１１が閉じられた際、ロック部２１では、図３Ｂに示すように、雄側ロック片２１Ａと雌側ロック片２１Ｂが互いに引っ掛かることにより、一対の外殻部１１，１１が開かれるのを抑制する。なお、雄側ロック片２１Ａと雌側ロック片２１Ｂが互いに引っ掛かる状態を解除された際には、ロック部２１は一対の外殻部１１，１１が開かれるのを許容する状態になる。
【００１８】
ケース部７は、図４Ａ及び図４Ｂに示すように、取り付け部３がプラグコネクタ９１に対して取り付けられた状態でプラグコネクタ９１がレセプタクルコネクタ９３に対して挿し込まれた際、機器の内外を区画するパネル９５の外側に配置される。なお、パネル９５には、図５Ａ及び図５Ｂに示すように、コネクタ固定具１に対応する形状とされた開口部９７が設けられている。
【００１９】
突出部９は、ケース部７から図中でいう前方に向かって突出している。取り付け部３がプラグコネクタ９１に対して取り付けられた状態でプラグコネクタ９１がレセプタクルコネクタ９３に対して挿し込まれた際、突出部９は、図４Ａ及び図４Ｂに示すように、突出方向先端部がパネル９５に設けられた開口部９７を通ってパネル９５の内側へと入り込む。
【００２０】
抜け止め部５は、一端が取り付け部３に対して固定された固定端５Ａ、他端が抜け止め部５の弾性変形に伴って変位可能な可動端５Ｂとされている。抜け止め部５の固定端５Ａは、突出部９におけるパネル９５の内側へと入り込む部分にある。抜け止め部５は、固定端５Ａから突出部９に対して折り返す方向へと延びている。抜け止め部５において、突出部９に対する折り返し方向へと延びる部分は、開口部９７を通ってパネル９５の外側に達している。そのパネル９５の外側に達した先端が可動端５Ｂとなっている。
【００２１】
抜け止め部５の可動端５Ｂに外力を加えて可動端５Ｂを図中でいう下方へ変位させると、抜け止め部５が弾性変形して第一位置（図４Ｂ中に実線で示す位置。）から第二位置（図４Ｂ中に破線で示す位置。）へ変位する。また、抜け止め部５を第二位置へ変位させた状態において、可動端５Ｂに外力が作用しなくなると、弾性変形に伴って生じていた弾性力により、抜け止め部５が第二位置から第一位置へ復帰する。
【００２２】
抜け止め部５においてプラグコネクタ９１側とは反対側に向けられた箇所には、爪２３が設けられている。抜け止め部５が第一位置にある場合には、爪２３がパネル９５の内側に引っ掛かる。これにより、抜け止め部５は、プラグコネクタ９１がレセプタクルコネクタ９３から引き抜かれる方向へ変位するのを抑制する。また、抜け止め部５が第二位置にある場合には、爪２３がパネル９５の内側に引っ掛からなくなる。よって、プラグコネクタ９１をレセプタクルコネクタ９３から引き抜くことができる。
【００２３】
プラグコネクタ９１をレセプタクルコネクタ９３から引き抜く方向へ力が作用した場合、図４Ｃに示すように、パネル９５から爪２３に対して力Ｆが作用する。この力Ｆは、抜け止め部５を固定端５Ａ側に向かって押圧する分力Ｆ１と、抜け止め部５をプラグコネクタ９１側から引き離そうとする方向に作用する分力Ｆ２との合力となる。そのため、抜け止め部５をプラグコネクタ９１側から引き離そうとする方向に作用する分力Ｆ２により、抜け止め部５はパネル９５側に向かって押圧される。すなわち、プラグコネクタ９１をレセプタクルコネクタ９３から引き抜く方向へ外力が作用した際には、機器の一部に相当するパネル９５から抜け止め部５に対し、抜け止め部５を第一位置側へ変位させる向きに力Ｆ２が作用するように構成されている。したがって、爪２３がパネル９５側から引き離されにくくなる。よって、爪２３がパネル９５に引っ掛かる第一位置にある状態を維持することができる。したがって、プラグコネクタ９１がレセプタクルコネクタ９３から引き抜かれてしまうのを抑制することができる。
【００２４】
ケース部７は、一対の外殻部１１，１１が閉じられた状態において、図３Ｂに示すように、プラグコネクタ９１の上側を覆う第一部分７Ａと、プラグコネクタ９１の下側を覆う第二部分７Ｂと、プラグコネクタ９１の左側を覆う第三部分７Ｃと、プラグコネクタ９１の右側を覆う第四部分７Ｄを有する形状になる。これにより、ケース部７は、第一部分７Ａ、第二部分７Ｂ、第三部分７Ｃ、及び第四部分７Ｄによって囲まれる空間内に、プラグコネクタ９１を収容可能となる。
【００２５】
第一部分７Ａ及び第二部分７Ｂは、プラグコネクタ９１のレセプタクルコネクタ９３に対する挿し込み方向（図中でいう前後方向。）に直交する第一方向（図中でいう上下方向。）に第一の間隔を空けて配置されている。第三部分７Ｃ及び第四部分７Ｄは、上記挿し込み方向（図中でいう前後方向。）及び第一方向（図中でいう上下方向。）の双方に直交する第二方向（図中でいう左右方向。）に第一の間隔よりも大となる第二の間隔を空けて配置されている。
【００２６】
突出部９は、上述の第一部分７Ａから突出している。そのため、突出部９の幅（第二方向の寸法。）を、突出部９が第三部分７Ｃ又は第四部分７Ｄから突出している場合における突出部９の幅（第一方向の寸法。）よりも大とすることができる。よって、突出部９の幅を大きめに設定できる分だけ、抜け止め部５の幅も大とすることができ、抜け止め部５の機械的強度を向上させることができる。
【００２７】
以上説明したように、上記コネクタ固定具１によれば、プラグコネクタ９１がレセプタクルコネクタ９３から引き抜かれるのを抑制することができる。しかも、プラグコネクタ９１をレセプタクルコネクタ９３から引き抜く方向へ外力が作用した際、抜け止め部５には、抜け止め部５を第一位置側へ変位させる向きに力が作用する。したがって、爪２３がパネル９５から外れにくくなる。よって、プラグコネクタ９１の引き抜きを抑制する効果が向上する。
【００２８】
（２）第二実施形態
次に、第二実施形態について説明する。なお、第二実施形態以降の実施形態は、第一実施形態で例示した構成の一部を変更した実施形態である。よって、第二実施形態以降は、第一実施形態との相違点を中心に詳述し、第一実施形態と重複する説明については省略する。なお、第一実施形態と同様な部分に関しては、図中に第一実施形態と同じ符号を付す。
【００２９】
図６Ａ及び図６Ｂに示すように、第二実施形態のコネクタ固定具３１は、第一実施形態のコネクタ固定具１に対し、一対の突起３３，３３が付加された構造になっている。その他の点は、第一実施形態のコネクタ固定具１と同様に構成されている。
【００３０】
一対の突起３３，３３は、図７Ａ及び図７Ｂに示すように、コネクタ固定具３１がパネル９５の開口部９７に挿し込まれた際に開口部９７へと入り込み、開口部９７内においてコネクタ固定具３１が上下方向へ変位するのを規制する。すなわち、突起３３の上下方向寸法は、開口部９７の上下方向の開口幅と一致する寸法とされ、突起３３は、上下方向について開口部９７の内側にぴったりと嵌まり込むように構成されている。
【００３１】
このような突起３３を設ければ、コネクタ固定具３１を単体で開口部９７に挿し込むだけで、コネクタ固定具３１をパネル９５に対して取り付けることができる。また、その際、ケース部７が開かれたままでも閉じられていても、コネクタ固定具３１をパネル９５に対して取り付けることができる。
【００３２】
したがって、このようなコネクタ固定具３１を利用すれば、例えば、以下のような手順でコネクタ固定具３１とプラグコネクタ９１との位置決めを行うことができる。すなわち、まずはケース部７を開いたままコネクタ固定具３１を単体で開口部９７に挿し込むことにより、コネクタ固定具３１をパネル９５に対して位置決めする。次に、開口部９７内にあるレセプタクルコネクタ９３にプラグコネクタ９１を挿し込むことにより、プラグコネクタ９１をパネル９５に対して位置決めする。そして、ケース部７を閉じることにより、コネクタ固定具３１をプラグコネクタ９１に対して取り付ける。
【００３３】
このような手順でコネクタ固定具３１とプラグコネクタ９１との位置決めを行えば、レセプタクルコネクタ９３とパネル９５との相対位置にばらつきがある場合でも、現場でコネクタ固定具３１とプラグコネクタ９１との相対位置を最適化することができる。あるいは、プラグコネクタ９１の寸法にばらつきがある場合でも、コネクタ固定具３１とプラグコネクタ９１との相対位置を最適化することができる。なお、上記以外の作用、効果は第一実施形態と同様である。
【００３４】
（３）第三実施形態
次に、第三実施形態について説明する。図８Ａ及び図８Ｂに示すように、第三実施形態のコネクタ固定具４１は、第二実施形態のコネクタ固定具３１に対し、更に一対のばね片４３，４３が付加された構造になっている。その他の点は、第二実施形態のコネクタ固定具３１と同様に構成されている。
【００３５】
一対のばね片４３，４３は、図９Ａ及び図９Ｂに示すように、コネクタ固定具４１がパネル９５の開口部９７に挿し込まれた際にパネル９５の外側に接触する。そして、抜け止め部５の爪２３がパネル９５の内側に引っ掛かる位置までコネクタ固定具４１が挿し込まれた際には、パネル９５の厚さに応じて弾性変形する。そのため、パネル９５の厚さにばらつきがある場合でも、一対のばね片４３，４３でパネル９５の外側に接触することができる。よって、コネクタ固定具４１がパネル９５に対してがたつくのを抑制することができる。なお、上記以外の作用、効果は第二実施形態と同様である。
【００３６】
（４）第四実施形態
次に、第四実施形態について説明する。図１０Ａ及び図１０Ｂに示すように、第四実施形態のコネクタ固定具５１は、第一実施形態のコネクタ固定具１から、両面粘着シート１７を除去したコネクタ固定具に相当する。そのため、図１０Ｂに示すように、コネクタ固定具５１において、外殻部１１の凹部１５内には有底穴１９が露出する状態にある。
【００３７】
ただし、このコネクタ固定具５１が取り付けられるプラグコネクタ９９には、有底穴１９に嵌まり込む凸状の嵌め込み部９９Ａが設けられている。コネクタ固定具５１がプラグコネクタ９９に取り付けられた際には、嵌め込み部９９Ａが有底穴１９に嵌まり込むため、有底穴１９は、プラグコネクタ９９がコネクタ固定具５１に対して相対的に変位するのを規制することができる。すなわち、第四実施形態においては、有底穴１９が本開示でいうずれ抑制部として機能する。なお、上記以外の作用、効果は第一実施形態と同様である。
【００３８】
（５）第五実施形態
次に、第五実施形態について説明する。なお、第五実施形態においても、図中に併記した前後左右上下の各方向を利用して説明を行う。これらの各方向は、コネクタ固定具の六面図（図１２Ａ〜図１２Ｆ参照。）において、正面図に表れる箇所が向けられる方向を前、背面図に表れる箇所が向けられる方向を後、左側面図に表れる箇所が向けられる方向を左、右側面図に表れる箇所が向けられる方向を右、平面図に表れる箇所が向けられる方向を上、底面図に表れる箇所が向けられる方向を下、と規定した相対的な方向である。第五実施形態の場合は、図中左方がプラグコネクタの挿し込み方向となる。この点は、図中前方が挿し込み方向となっていた第一実施形態とは相違する。ただし、これらの各方向は、第一実施形態と同様の主旨で、コネクタ固定具を構成する各部の相対的な位置関係を簡潔に説明するために規定した方向に過ぎない。したがって、例えばコネクタ固定具の使用時等に、コネクタ固定具がどのような方向に向けられるかは不定である。
【００３９】
図１１Ａ，図１１Ｂ，図１１Ｃ，図１１Ｄ，図１２Ａ，図１２Ｂ，図１２Ｃ，図１２Ｄ，図１２Ｅ，及び図１２Ｆに示すように、コネクタ固定具６１は、取り付け部６３と、抜け止め部６５とを有する。取り付け部６３は、ケース部６７と、突出部６９とを有する。
【００４０】
ケース部６７は、平板部７０、第一延出部７１、及び第二延出部７２を有する。平板部７０は、平板状に構成されている。平板部７０の板厚方向は、図中でいう前後方向（本開示でいう第一方向。）に向けられている。第一延出部７１は、平板部７０の図中上端から図中前方へと延び出ている。第二延出部７２は、平板部７０の図中下端から図中前方へと延び出ている。第一延出部７１及び第二延出部７２は、前後方向寸法が、第一延出部７１と第二延出部７２との間隔の寸法よりも小となる形状とされている。
【００４１】
ケース部６７の左端には、位置決め壁７３が設けられている。位置決め壁７３は、板厚方向が図中でいう左右方向に向けられた板状部分である。位置決め壁７３は、平板部７０の左端から僅かに前方へと延び出た部分と、第一延出部７１の左端から僅かに下方へと延び出た部分と、第二延出部７２の左端から僅かに上方へと延び出た部分とを有する形状とされている。平板部７０の前側には、両面粘着シート７５が設けられている。なお、図１１Ａ等の図中においては、網掛け表示をしてある部分が両面粘着シート７５に該当する。
【００４２】
第一延出部７１の図中下面には、四つの突条７７が設けられている。第二延出部７２の図中上面にも、四つの突条７７が設けられている。これらの突条７７は、ケース部６７がプラグコネクタ１０１に装着された際に、プラグコネクタ１０１に接触することにより、プラグコネクタ１０１に対して圧接する役割、あるいはプラグコネクタ１０１側にある凹凸と噛み合う役割等を果たす。また、第一延出部７１、及び第二延出部７２の剛性を高める役割をも果たしている。
【００４３】
突出部６９は、基部８１と、リブ８３と、立設壁８５とを有する。基部８１は、第一延出部７１の左端から更に左方へと延び出た部分である。基部８１は、図１２Ｃに表れるように、左右方向中央付近において厚み（図中でいう上下方向寸法。）が増す形状となっている。これにより、基部８１の厚みが増さない形状とされている場合よりも、突出部６９の剛性が高くなるようにされている。リブ８３及び立設壁８５も、突出部６９の剛性を高めるための構造である。
【００４４】
リブ８３は、図１２Ｂ，図１２Ｃ，図１２Ｆ，及び図１３Ａに示すように、基部８１の下面から下方へ向かって突出し、かつ、リブ８３の左端が位置決め壁７３と一体化されている。これにより、リブ８３は、基部８１が基部８１の右端付近を中心に上下方向へ湾曲するのを抑制している。立設壁８５は、基部８１の上面から第一延出部７１の上面にわたる範囲において、基部８１及び第一延出部７１の後端となる位置から上方へ突出している。これにより、立設壁８５も、基部８１が基部８１の右端付近を中心に上下方向へ湾曲するのを抑制している。
【００４５】
このように基部８１の厚み、リブ８３、及び立設壁８５によって突出部６９の剛性を高めることにより、抜け止め部６５に外力が加わった際には、抜け止め部６５の変位は許容しつつ突出部６９の変位を抑制することができる。これにより、抜け止め部６５の揺動中心となる位置が変位するのを抑制でき、抜け止め部６５による抜け止め効果が低下するのを抑制できる。
【００４６】
以上のように構成されたケース部６７は、例えば、図１３Ｂに示すように、図中でいう後方からプラグコネクタ１０１に対して装着される。これにより、ケース部６７は、図１３Ｃに示すように、プラグコネクタ１０１に対して装着される。なお、プラグコネクタ１０１は、ＵＳＢコネクタである。ケース部６７がプラグコネクタ１０１に装着されると、平板部７０、第一延出部７１、及び第二延出部７２は、プラグコネクタ１０１の周囲を三方から取り囲む状態になる。ケース部６７をプラグコネクタ１０１に装着する際には、プラグコネクタ１０１が位置決め壁７３に接触するように配置される。これにより、ケース部６７とプラグコネクタ１０１との位置決めを行うことができる。ケース部６７とプラグコネクタ１０１は、両面粘着シート７５によって相互に対して固着される。
【００４７】
コネクタ固定具６１が装着されたプラグコネクタ１０１は、例えば図１４Ａに示すように、レセプタクルコネクタ１０３に挿し込まれる。このとき、コネクタ固定具６１は、パネル１０５に設けられた開口部１０７に入り込んで、図１４Ｂに示すように、開口部１０７の奥側においてパネル１０５の端縁に引っ掛かる。これにより、コネクタ固定具６１は、プラグコネクタ１０１がレセプタクルコネクタ１０３から引き抜かれる方向へ変位するのを抑制する。
【００４８】
また、第五実施形態においては、ケース部６７がプラグコネクタ１０１の周囲を三方から取り囲む状態にある。よって、図１４Ａに示すように、複数のプラグコネクタ１０１が隣接配置された状態でレセプタクルコネクタ１０３に挿し込まれても、隣り合う位置にある二つのプラグコネクタ１０１の間には、一方のプラグコネクタ１０１に装着されたコネクタ固定具６１のケース部６７しか介在しない。そのため、隣り合う位置にある二つのプラグコネクタ双方のケース部が互いに干渉する位置にある場合に比べ、複数のプラグコネクタ１０１を狭いピッチで隣接配置する場合であっても容易に所期の位置に隣接配置することができる。
【００４９】
また、本実施形態の場合、平板部７０は、厚さ０．５ｍｍの板状に構成され、両面粘着シート７５は厚さ０．３ｍｍの両面粘着シートを採用している。そのため、隣り合う位置にある二つのプラグコネクタ１０１の間に０．８ｍｍの空隙があれば、何ら問題なくコネクタ固定具６１を利用できる。また、両面粘着シート７５は、外力を加えれば厚さ０．３ｍｍ未満にまで圧縮変形させることもできる。よって、隣り合う位置にある二つのプラグコネクタ１０１の間に０．８ｍｍ未満の空隙しかない場合であっても、僅かな外力を加えれば、複数のプラグコネクタ１０１を隣接配置することができる。平板部７０及び両面粘着シート７５の合計の厚みは、両者の材質や材質に起因する剛性によっても変わり得るが、ＵＳＢコネクタを想定する場合なら、例えば０．１ｍｍ〜１ｍｍ程度に設定されていれば、複数のプラグコネクタ１０１を適正に隣接配置することが可能である。
【００５０】
なお、上述の例では、三つのプラグコネクタ１０１を縦長となる向きにして横方向に並べて配置する例を示したが、図１５Ａ及び図１５Ｂに示すように、プラグコネクタ１０１を横長となる向きにして利用する場合であっても、何ら問題なくコネクタ固定具６１を利用できる。
【００５１】
（６）補足
以上、コネクタ固定具について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００５２】
例えば、本開示でいうずれ抑制部の一例として、上記第一実施形態では両面粘着シート１７を例示し、上記第四実施形態では有底穴１９を例示したが、これら以外のずれ抑制部を採用してもよい。例えば、上記第四実施形態とは逆に、プラグコネクタ側に設けられた凹部にコネクタ固定具側に設けられた凸部が嵌まり込むようにしてもよい。また、両面粘着シート以外に、摩擦係数の高いゴムシートなどを挟み込んでもよく、この場合、ゴムシートの表面には粘着性がなくてもよい。あるいは、ゲル状樹脂のパッドを挟み込んでもよい。
【００５３】
また、上記実施形態では、プラグコネクタを挟んで上下両側にずれ抑制部（両面粘着シート１７、有底穴１９）を設ける例を示したが、これらのずれ抑制部はプラグコネクタを挟む上下両側のうち、いずれか一方に設けられていてもよい。
【００５４】
また、上記実施形態では、プラグコネクタを挟んで上下両側にあるずれ抑制部が、双方とも両面粘着シート１７となっている例、及び双方とも有底穴１９となっている例を示したが、これらは異種のずれ抑制部を組み合わせて採用してもよい。例えば、プラグコネクタの上下両側のうち、いずれか一方には両面粘着シート１７を設け、他方には有底穴１９を設けてもよい。あるいは、いずれか一方には、上述した摩擦係数の高いゴムシートなどを挟み込み、他方には両面粘着シート１７又は有底穴１９のいずれかを設けてもよい。
【００５５】
また、上記第二実施形態では、コネクタ固定具３１をパネル９５に対して取り付け、プラグコネクタ９１をレセプタクルコネクタ９３に接続し、その後でプラグコネクタ９１とコネクタ固定具３１とを固定するという取り付け手順を示したが、これに限らない。具体的には、コネクタ固定具３１をパネル９５に対して取り付ける手順と、プラグコネクタ１をレセプタクルコネクタ９３に接続する手順はどちらが先でもよい。また、適当な方法でプラグコネクタ９１とコネクタ固定具３１とを位置決めできるのであれば、パネル９５やレセプタクルコネクタ９３を利用することなく、先にコネクタ固定具３１をプラグコネクタ９１に取り付けてもよい。例を挙げれば、第四実施形態において示したコネクタ固定具５１であれば、有底穴１９と嵌め込み部９９Ａによって位置決めができる。よって、パネル９５やレセプタクルコネクタ９３を利用しなくてもよい。
【００５６】
また、上記実施形態では、プラグコネクタの例としてＵＳＢコネクタを例示したが、類似の構造となっているプラグコネクタであれば、ＵＳＢコネクタ以外のプラグコネクタであっても、本開示の技術思想の適用対象となる。
【００５７】
なお、以上説明した例示的な実施形態から明らかなように、本開示のコネクタ固定具は、更に以下に挙げるような構成を備えていてもよい。
まず、本開示のコネクタ固定具において、取り付け部は、ケース部と、突出部とを有していてもよい。このコネクタ固定具において、ケース部は、プラグコネクタの外面の少なくとも一部を覆う位置に装着可能に構成される。ケース部は、取り付け部がプラグコネクタに対して取り付けられた状態でプラグコネクタがレセプタクルコネクタに対して挿し込まれた際には、機器の内外を区画するパネルの外側に配置される部分である。突出部は、ケース部から突出している。突出部は、取り付け部がプラグコネクタに対して取り付けられた状態でプラグコネクタがレセプタクルコネクタに対して挿し込まれた際には、突出方向先端部がパネルに設けられた開口部を通ってパネルの内側へと入り込む部分である。抜け止め部は、突出部におけるパネルの内側へと入り込む部分に固定端がある。抜け止め部は、当該固定端から突出部に対して折り返す方向へと延びる。その折り返し方向へ延びる部分が開口部を通ってパネルの外側に達し、当該パネルの外側に達した先端が可動端となっている。当該抜け止め部においてプラグコネクタ側とは反対側に向けられた箇所には、パネルの内側に引っ掛かる爪が設けられる。当該爪がパネルの内側に引っ掛かることにより、プラグコネクタがレセプタクルコネクタから引き抜かれる方向へ変位するのを抜け止め部が抑制可能に構成される。可動端がプラグコネクタに接近する方向へ抜け止め部を弾性変形させることにより、爪がパネルに引っ掛かる第一位置から爪がパネルに引っ掛からない第二位置へ変位可能に構成される。
【００５８】
このように構成されたコネクタ固定具によれば、抜け止め部は、上述のような突出部におけるパネルの内側へと入り込む部分に固定端がある。また、抜け止め部は、その固定端から突出部に対して折り返す方向へと延び、その折り返し方向へ延びる部分が開口部を通ってパネルの外側に達し、パネルの外側に達した先端が抜け止め部の可動端となっている。さらに、抜け止め部においてプラグコネクタ側とは反対側に向けられた箇所には、パネルの内側に引っ掛かる爪が設けられ、その爪がパネルの内側に引っ掛かることにより、プラグコネクタがレセプタクルコネクタから引き抜かれる方向へ変位するのを抑制する。
【００５９】
ここで、プラグコネクタをレセプタクルコネクタから引き抜く方向へ力が作用した場合、パネルから爪に作用する力は、抜け止め部を固定端側に向かって押圧する分力と、抜け止め部をプラグコネクタ側から引き離そうとする方向に作用する分力との合力となる。そのため、抜け止め部をプラグコネクタ側から引き離そうとする方向に作用する分力により、抜け止め部がパネル側に向かって押圧される。よって、爪がパネル側から引き離されにくくなり、爪がパネルに引っ掛かる第一位置にある状態を維持することができる。したがって、プラグコネクタがレセプタクルコネクタから引き抜かれてしまうのを抑制することができる。
【００６０】
また、本開示のコネクタ固定具において、ケース部は、第一部分、第二部分、第三部分、及び第四部分を有していてもよい。このコネクタ固定具において、第一部分及び第二部分は、プラグコネクタのレセプタクルコネクタに対する挿し込み方向に直交する第一方向に第一の間隔を空けて配置される。第三部分及び第四部分は、挿し込み方向及び第一方向の双方に直交する第二方向に第一の間隔よりも大となる第二の間隔を空けて配置される。第一部分、第二部分、第三部分、及び第四部分によって囲まれる空間内に、プラグコネクタを収容可能に構成される。突出部は、第一部分及び第二部分のうち、少なくとも一方から突出している。
【００６１】
このように構成されたコネクタ固定具によれば、第一部分及び第二部分における第二方向の寸法は概ね第二の間隔と同等又はそれ以上となり、第三部分及び第四部分における第一方向の寸法は概ね第一の間隔と同等又はそれ以上となる。そのため、第一部分及び第二部分に突出部を設けた場合における突出部の幅（この場合は、突出部の第二方向寸法。）は、第三部分及び第四部分に突出部を設けた場合における突出部の幅（この場合は、突出部の第一方向寸法。）よりも大きくすることができる。したがって、その分だけより幅の広い抜け止め部を設けることができ、爪の幅も広くできる。よって、抜け止め部の機械的強度を向上させ、抜け止め効果を向上させることができる。
【００６２】
また、本開示のコネクタ固定具において、ケース部は、一対の外殻部と、ヒンジ部と、ロック部とを有していてもよい。このコネクタ固定具において、一対の外殻部は、それぞれが凹部を有する。ヒンジ部は、一対の外殻部を開閉可能に連結する。ロック部は、一対の外殻部が閉じられた際に互いに引っ掛かることによって一対の外殻部が開かれるのを抑制可能、かつ、互いに引っ掛かる状態が解除された際には一対の外殻部が開かれるのを許容するように構成される。一対の外殻部が閉じられた際に一対の外殻部それぞれが有する凹部が対向することによってケース部の内部に構成される空間内に、プラグコネクタの少なくとも一部を収容可能に構成される。
【００６３】
このように構成されたコネクタ固定具によれば、一対の外殻部を開いて一方の外殻部が有する凹部内にプラグコネクタの一部を配置し、一対の外殻部を閉じるとケース部の内部に構成される空間内にプラグコネクタの少なくとも一部が収容される。一対の外殻部が閉じられた際には、ロック部が互いに引っ掛かることによって一対の外殻部が開かれるのを抑制する。したがって、このようなケース部を備えていれば、コネクタ固定具を容易にプラグコネクタに取り付けることができる。
【００６４】
また、本開示のコネクタ固定具において、ケース部は、平板部、第一延出部、及び第二延出部を有していてもよい。このコネクタ固定具において、平板部は、平板状に構成されて、その板厚方向がプラグコネクタのレセプタクルコネクタに対する挿し込み方向に直交する第一方向に向けられる。第一延出部、及び第二延出部は、挿し込み方向及び第一方向の双方に直交する第二方向に間隔を空けた位置において、それぞれが平板部から第一方向へと延び出ている。平板部、第一延出部、及び第二延出部によって、プラグコネクタの周囲を三方から取り囲む状態で、プラグコネクタに対して装着可能に構成される。第一延出部及び第二延出部は、第一方向の寸法が、第一延出部と第二延出部との間隔の寸法よりも小となる形状とされる。突出部は、第一延出部及び第二延出部のうち、少なくとも一方から突出している。
【００６５】
このように構成されたコネクタ固定具によれば、ケース部は、平板部、第一延出部、及び第二延出部によって、プラグコネクタの周囲を三方から取り囲む状態で、プラグコネクタに対して装着可能に構成されている。そのため、複数のプラグコネクタが隣接する状態で複数のレセプタクルコネクタに挿し込まれる場合に、隣り合う位置に配置される二つのプラグコネクタの間には、一方のケース部が有する平板部しか配置されない。したがって、プラグコネクタの周囲を四方から取り囲む構造のケース部とは異なり、隣り合う位置に配置される二つのプラグコネクタの間に、双方のケース部の一部が挟み込まれることはない。よって、複数のレセプタクルコネクタが極めて近接する位置に設けられている場合でも、コネクタ固定具が邪魔になる可能性を低減することができる。
【００６６】
また、本開示のコネクタ固定具において、平板部は、板厚方向の寸法が０．１ｍｍ〜１ｍｍとされていてもよい。
このように構成されたコネクタ固定具によれば、隣り合う位置に配置される二つのプラグコネクタの間に０．１ｍｍ〜１ｍｍ程度の空隙が形成される状態にあれば、そのようなプラグコネクタに対してコネクタ固定具を装着することができる。
【００６７】
また、本開示のコネクタ固定具において、取り付け部には、ずれ抑制部が設けられてもよい。このコネクタ固定具において、ずれ抑制部は、プラグコネクタとの間で互いの凹凸が嵌まり合うか、プラグコネクタに対して粘着するか、プラグコネクタに対して加圧する状態で接触する。これにより、ずれ抑制部は、取り付け部とプラグコネクタとの相対位置が、プラグコネクタのレセプタクルコネクタに対する挿し込み方向へずれるのを抑制するように構成される。
【００６８】
このように構成されたコネクタ固定具によれば、上述のようなずれ抑制部により、取り付け部とプラグコネクタとの相対位置が、プラグコネクタのレセプタクルコネクタに対する挿し込み方向へずれるのを抑制することができる。
【図１】
2017086259.tif 000003
【図２】
2017086259.tif 000004
【図３】
2017086259.tif 000005
【図４】
2017086259.tif 000006
【図５】
2017086259.tif 000007
【図６】
2017086259.tif 000008
【図７】
2017086259.tif 000009
【図８】
2017086259.tif 000010
【図９】
2017086259.tif 000011
【図１０】
2017086259.tif 000012
【図１１】
2017086259.tif 000013
【図１２】
2017086259.tif 000014
【図１３】
2017086259.tif 000015
【図１４】
2017086259.tif 000016
【図１５】
2017086259.tif 000017
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
取り付け部と、抜け止め部とを有し、
前記取り付け部は、プラグコネクタに対して取り付け可能に構成され、
前記抜け止め部は、前記取り付け部が前記プラグコネクタに対して取り付けられた状態で前記プラグコネクタがレセプタクルコネクタに対して挿し込まれた際に、前記レセプタクルコネクタを有する機器の一部であるパネルに引っ掛かることにより、前記プラグコネクタが少なくとも前記レセプタクルコネクタから引き抜かれる方向へ変位するのを抑制可能に構成され、
前記抜け止め部は、一端が前記取り付け部に対して固定された固定端、他端が前記抜け止め部の弾性変形に伴って変位可能な可動端とされ、弾性変形させることによって前記機器の一部に引っ掛かる第一位置から前記機器の一部に引っ掛からない第二位置へ変位可能、かつ、弾性変形に伴って生じていた弾性力によって前記第二位置から前記第一位置へ復帰可能に構成され、
しかも、前記プラグコネクタを前記レセプタクルコネクタから引き抜く方向へ外力が作用した際には、前記機器の一部から前記抜け止め部に対し、前記抜け止め部を前記第一位置側へ変位させる向きに力が作用するように構成されている
コネクタ固定具。
【請求項２】
請求項１に記載のコネクタ固定具であって、
前記取り付け部は、ケース部と、突出部とを有し、
前記ケース部は、前記プラグコネクタの外面の少なくとも一部を覆う位置に装着可能に構成され、前記取り付け部が前記プラグコネクタに対して取り付けられた状態で前記プラグコネクタがレセプタクルコネクタに対して挿し込まれた際には、前記機器の内外を区画するパネルの外側に配置される部分であり、
前記突出部は、前記ケース部から突出しており、前記取り付け部が前記プラグコネクタに対して取り付けられた状態で前記プラグコネクタがレセプタクルコネクタに対して挿し込まれた際には、突出方向先端部が前記パネルに設けられた開口部を通って前記パネルの内側へと入り込む部分であり、
前記抜け止め部は、前記突出部における前記パネルの内側へと入り込む部分に前記固定端があり、当該固定端から前記突出部に対して折り返す方向へと延び、その折り返し方向へ延びる部分が前記開口部を通って前記パネルの外側に達し、当該パネルの外側に達した先端が前記可動端となっており、
前記抜け止め部において前記プラグコネクタ側とは反対側に向けられた箇所には、前記パネルの内側に引っ掛かる爪が設けられ、当該爪が前記パネルの内側に引っ掛かることにより、前記プラグコネクタが前記レセプタクルコネクタから引き抜かれる方向へ変位するのを抑制可能に構成され、
前記可動端が前記プラグコネクタに接近する方向へ前記抜け止め部を弾性変形させることにより、前記爪が前記パネルに引っ掛かる前記第一位置から前記爪が前記パネルに引っ掛からない前記第二位置へ変位可能に構成されている
コネクタ固定具。
【請求項３】
請求項２に記載のコネクタ固定具であって、
前記ケース部は、第一部分、第二部分、第三部分、及び第四部分を有し、
前記第一部分及び前記第二部分は、前記プラグコネクタの前記レセプタクルコネクタに対する挿し込み方向に直交する第一方向に第一の間隔を空けて配置され、
前記第三部分及び前記第四部分は、前記挿し込み方向及び前記第一方向の双方に直交する第二方向に前記第一の間隔よりも大となる第二の間隔を空けて配置され、
前記第一部分、前記第二部分、前記第三部分、及び前記第四部分によって囲まれる空間内に、前記プラグコネクタを収容可能に構成され、
前記突出部は、前記第一部分及び前記第二部分のうち、少なくとも一方から突出している
コネクタ固定具。
【請求項４】
請求項２又は請求項３に記載のコネクタ固定具であって、
前記ケース部は、一対の外殻部と、ヒンジ部と、ロック部とを有し、
前記一対の外殻部は、それぞれが凹部を有し、
前記ヒンジ部は、前記一対の外殻部を開閉可能に連結し、
前記ロック部は、前記一対の外殻部が閉じられた際に互いに引っ掛かることによって前記一対の外殻部が開かれるのを抑制可能、かつ、前記互いに引っ掛かる状態が解除された際には前記一対の外殻部が開かれるのを許容するように構成され、
前記一対の外殻部が閉じられた際に前記一対の外殻部それぞれが有する前記凹部が対向することによって前記ケース部の内部に構成される空間内に、前記プラグコネクタの少なくとも一部を収容可能に構成されている
コネクタ固定具。
【請求項５】
請求項２に記載のコネクタ固定具であって、
前記ケース部は、平板部、第一延出部、及び第二延出部を有し、
前記平板部は、平板状に構成されて、その板厚方向が前記プラグコネクタの前記レセプタクルコネクタに対する挿し込み方向に直交する第一方向に向けられ、
前記第一延出部及び前記第二延出部は、前記挿し込み方向及び前記第一方向の双方に直交する第二方向に間隔を空けた位置において、それぞれが前記平板部から前記第一方向へと延び出ており
前記平板部、前記第一延出部、及び前記第二延出部によって、前記プラグコネクタの周囲を三方から取り囲む状態で、前記プラグコネクタに対して装着可能に構成され、
前記第一延出部及び第二延出部は、前記第一方向の寸法が、前記第一延出部と前記第二延出部との間隔の寸法よりも小となる形状とされ、
前記突出部は、前記第一延出部及び第二延出部のうち、少なくとも一方から突出している
コネクタ固定具。
【請求項６】
請求項５に記載のコネクタ固定具であって、
前記平板部は、前記板厚方向の寸法が０．１ｍｍ〜１ｍｍとされている
コネクタ固定具。
【請求項７】
請求項１から請求項６までのいずれか一項に記載のコネクタ固定具であって、
前記取り付け部には、ずれ抑制部が設けられ、
前記ずれ抑制部は、前記プラグコネクタとの間で互いの凹凸が嵌まり合うか、前記プラグコネクタに対して粘着するか、前記プラグコネクタに対して加圧する状態で接触することにより、前記取り付け部と前記プラグコネクタとの相対位置が、前記プラグコネクタの前記レセプタクルコネクタに対する挿し込み方向へずれるのを抑制するように構成されている
コネクタ固定具。
【国際調査報告】
2017086259.tif 000018
2017086259.tif 000019